(57)【特許請求の範囲】
【請求項１】
ズームレンズ鏡筒に設けられた、ズーミングに伴い光軸方向に移動する移動レンズ群枠に支持された絞り機構と、
カメラボディ側のレリーズスイッチに連動して回転する回転環と、
該回転環から上記絞り機構側に延びる絞込レバーと、
上記移動レンズ群枠に回転可能に支持され、一端が上記絞り機構に連係され他端が上記絞込レバーに連係されたシーソーレバーと、
上記絞込レバーと上記シーソーレバーの一方に形成した上記光軸と略平行なカム溝と、
上記絞込レバーと上記シーソーレバーの他方に形成した、上記カム溝に幅方向には隙間無く嵌合し、上記移動レンズ群枠の光軸方向位置変化に応じて該カム溝内を摺動することにより上記シーソーレバーの回転位置を変化させるカムピンと、を備えたズームレンズ鏡筒において、
上記シーソーレバーが、
上記移動レンズ群枠に回転可能に支持された駆動レバーと、
該駆動レバーと相対回転可能に接続した、上記カム溝又は上記カムピンを有する空走レバーと、
を有し、
さらに、
上記駆動レバーに形成した第１時間差動力伝達部と、
上記空走レバーに上記カム溝とは別個に形成した第２時間差動力伝達部と、を有する時間差動力伝達機構を備え、
該時間差動力伝達機構は、上記回転環が絞込方向へ動くときは上記第１時間差動力伝達部と上記第２時間差動力伝達部を離間させることにより所定の空走時間の間は該回転環の回転力を上記絞り機構に伝達せず、かつ該空走時間の経過後に上記第１時間差動力伝達部と上記第２時間差動力伝達部を当接させることにより該回転環の回転力を上記絞り機構に伝達することを特徴とするズームレンズ鏡筒の絞り開閉機構。
【請求項２】
請求項１記載のズームレンズ鏡筒の絞り開閉機構において、
光軸回りの回転位置に応じて絞りの開度を調整する絞り開閉環に設けた開放位置規制部と、
上記回転環に形成した、光軸に対して傾斜しかつ上記開放位置規制部と接離可能であり、該開放位置規制部と当接したときに上記絞り開閉環を回転規制することにより上記絞りを開放絞り状態に保持する規制面と、
上記光軸に対して傾斜する上記カム溝と、
上記カムピンと、
を有する開放Ｆ値保持手段を備え、
該開放Ｆ値保持手段は、ズーミングによる焦点距離変化に応じて上記カム溝に対する上記カムピンの上記光軸方向の係合位置を変化させ、上記絞りが上記開放絞り状態にあるときの上記絞り開閉環の回転位置を制御することにより、ズーミングによる焦点距離変化に拘わらず開放Ｆ値を一定に保つズームレンズ鏡筒の絞り開閉機構。
【請求項３】
請求項１または２記載のズームレンズ鏡筒の絞り開閉機構において、
上記シーソーレバーが、
一端が上記絞り機構に連係された駆動レバーと、
該駆動レバーの他端と上記絞込レバーとを連係する空走レバーと、
を備えるズームレンズ鏡筒の絞り開閉機構。
【請求項４】
請求項１から３のいずれか１項記載のズームレンズ鏡筒の絞り開閉機構において、
上記空走レバーと駆動レバーの一方に連係孔を設け、
他方に、常時はこの連係孔に該連係孔の壁面に非接触の状態で嵌まり、上記空走時間の経過後該連係孔の壁面に当接する連係ピンを設けたズームレンズ鏡筒の絞り開閉機構。
【請求項５】
請求項４記載のズームレンズ鏡筒の絞り開閉機構において、
上記開放Ｆ値保持手段が、
開放絞り状態におけるズーミングによる焦点距離変化に伴なって上記空走レバーが回転したときに、上記連係ピンを上記連係孔に対して非接触の非接触位置に保持する、上記カム溝と上記カムピンからなる角度保持手段を備えるズームレンズ鏡筒の絞り開閉機構。
【発明の詳細な説明】
【技術分野】
【０００１】
本発明は、ズームレンズ鏡筒内に設けられる絞り開閉機構に関する。
【背景技術】
【０００２】
ズーミング機構と絞り機構を連動させることによりレンズの焦点距離が変化しても開放Ｆ値を一定に保持する開放Ｆ値保持手段を具備するＦ値一定ズームレンズは従来より知られている。Ｆ値一定ズームレンズでは、カメラのレリーズボタンが押し込まれてから所定の空送時間が経過した後に絞り機構が駆動する（例えば特許文献１）。
【０００３】
特許文献１の絞り開閉機構は、絞りを開閉するための開閉板８に連係された連動板２５を具備している。この連動板２５は上下方向に移動することにより開閉板８を回転させる（絞りを開閉させる）機能を有している。さらに連動板２５は、レンズ鏡筒に対して光軸方向に相対移動不能な駆動ピン６が相対移動自在に係合する穴２５ａを有しており、移動レンズ群のズーミング動作時にこの穴２５ａが駆動ピン６に対して光軸方向に相対移動することにより、ズーミング動作に対応できるようになっている。
【０００４】
【特許文献１】特許第２５６６３９０号公報
【発明の開示】
【発明が解決しようとする課題】
【０００５】
特許文献１の絞り開閉機構では、連動板２５の穴２５ａの幅を駆動ピン６の径より広く設計し、穴２５ａと駆動ピン６により時間差動力伝達機構を構成している。このように時間差動力伝達機構を設ける理由は、レリーズボタンが絞込方向に押し込まれたときに、駆動ピン６を穴２５ａの内面に直ちに接触させず所定の空走時間が経過後に接触させることにより、いわゆる空走時間を確保するためである。
【０００６】
連動板２５の穴２５ａをこのような形状として設計すると、連動板２５が幅方向（レンズ鏡筒の周方向）に大型化してしまう。しかし、レンズ鏡筒内には多数の部品が配設されており、しかも近年はレンズ鏡筒の小型化（小径化）が進んでいるため、レンズ鏡筒内には余計な空間は殆ど存在しない。そのため、このように連動板２５が幅方向に大型化するのは好ましくない。
さらに特許文献１では、復元バネ４や開放バネ２６の付勢力を利用することにより、駆動ピン６を穴２５ａの壁面から離れた位置（非接触位置）に保持している。しかし、復元バネ４や開放バネ２６の弾性が劣化すると、駆動ピン６を穴２５ａの非接触位置に保持できなくなってしまう。
【０００７】
本発明の目的は、移動レンズ群枠の光軸方向移動を可能にするための溝を形成した部材を大型化させることがないズームレンズ鏡筒の絞り開閉機構を提供することにある。
【課題を解決するための手段】
【０００８】
本発明のズームレンズ鏡筒の絞り開閉機構は、ズームレンズ鏡筒に設けられた、ズーミングに伴い光軸方向に移動する移動レンズ群枠に支持された絞り機構と、カメラボディ側のレリーズスイッチに連動して回転する回転環と、該回転環から上記絞り機構側に延びる絞込レバーと、上記移動レンズ群枠に回転可能に支持され、一端が上記絞り機構に連係され他端が上記絞込レバーに連係されたシーソーレバーと、上記絞込レバーと上記シーソーレバーの一方に形成した上記光軸と略平行なカム溝と、上記絞込レバーと上記シーソーレバーの他方に形成した、上記カム溝に幅方向には隙間無く嵌合し、上記移動レンズ群枠の光軸方向位置変化に応じて該カム溝内を摺動することにより上記シーソーレバーの回転位置を変化させるカムピンと、を備えたズームレンズ鏡筒において、上記シーソーレバーが、上記移動レンズ群枠に回転可能に支持された駆動レバーと、該駆動レバーと相対回転可能に接続した、上記カム溝又は上記カムピンを有する空走レバーと、を有し、さらに、上記駆動レバーに形成した第１時間差動力伝達部と、上記空走レバーに上記カム溝とは別個に形成した第２時間差動力伝達部と、を有する時間差動力伝達機構を備え、該時間差動力伝達機構は、上記回転環が絞込方向へ動くときは上記第１時間差動力伝達部と上記第２時間差動力伝達部を離間させることにより所定の空走時間の間は該回転環の回転力を上記絞り機構に伝達せず、かつ該空走時間の経過後に上記第１時間差動力伝達部と上記第２時間差動力伝達部を当接させることにより該回転環の回転力を上記絞り機構に伝達することを特徴としている。
【０００９】
光軸回りの回転位置に応じて絞りの開度を調整する絞り開閉環に設けた開放位置規制部と、上記回転環に形成した、光軸に対して傾斜しかつ上記開放位置規制部と接離可能であり、該開放位置規制部と当接したときに上記絞り開閉環を回転規制することにより上記絞りを開放絞り状態に保持する規制面と、上記光軸に対して傾斜する上記カム溝と、上記カムピンと、を有する開放Ｆ値保持手段を備え、該開放Ｆ値保持手段は、ズーミングによる焦点距離変化に応じて上記カム溝に対する上記カムピンの上記光軸方向の係合位置を変化させ、上記絞りが上記開放絞り状態にあるときの上記絞り開閉環の回転位置を制御することにより、ズーミングによる焦点距離変化に拘わらず開放Ｆ値を一定に保つのが好ましい。
【００１０】
上記シーソーレバーが、一端が上記絞り機構に連係された駆動レバーと、該駆動レバーの他端と上記絞込レバーとを連係する空走レバーと、からなっていてもよい。
【００１１】
上記空走レバーと駆動レバーの一方に連係孔を設け、他方に、常時はこの連係孔に該連係孔の壁面に非接触の状態で嵌まり、上記空走時間の経過後該連係孔の壁面に当接する連係ピンを設けてもよい。
【００１２】
上記開放Ｆ値保持手段が、開放絞り状態におけるズーミングによる焦点距離変化に伴なって上記空走レバーが回転したときに、上記連係ピンを上記連係孔に対して非接触の非接触位置に保持する、上記カム溝と上記カムピンからなる角度保持手段を備えるのが好ましい。
【発明の効果】
【００１４】
本発明によれば、移動レンズ群枠の光軸方向移動を可能にするための溝であるカム溝に時間差動力伝達機構としての機能を持たせず、シーソーレバー（駆動レバーと空走レバー）にカム溝とは別個に時間差動力伝達機構を持たせたので、カム溝を形成した絞込レバー（または空走レバー）が大型化するのを防止できる。
【発明を実施するための最良の形態】
【００１５】
以下、本発明の一実施形態について添付図面を参照しながら説明する。
まず図１を利用して、レンズ鏡筒１０の全体構造について説明する。
第１レンズ群Ｌ１及び第２レンズ群Ｌ２の光軸Ｏを中心とする筒状部材である固定環１１は、光軸Ｏ回りの回転及び光軸Ｏ方向の直進移動をしない不動部材であり、その後端面には図示を省略したカメラボディに接続するためのマウント環１２が固着されている。固定環１１は互いに同心をなす内筒１３と外筒１４を具備している。内筒１３には光軸Ｏと平行な３本の直進案内溝１６が周方向に１２０°間隔で並べて貫通溝として形成されている。さらに内筒１３の外周面の前端部近傍には環状のストッパ１５が突設されている。外筒１４の外周面には光軸Ｏを中心とする環状凹部１７が凹設されている。この環状凹部１７にはズーム操作環１８が光軸Ｏ回りに回転可能かつ光軸Ｏ方向に相対移動不能として嵌合している。１９はズーム操作環１８の外周面に固着されたゴム製のグリップ環である。外筒１４には、外筒１４を径方向（光軸Ｏに対して直交する方向）に貫通する貫通孔２０が形成されている。また、内筒１３と外筒１４の後端同士を連結する環状後部壁の前面には、光軸Ｏを中心とする環状支持溝２１が凹設されている。
【００１６】
内筒１３の外周面には内筒１３と同心をなすカム環３０が外嵌しており、カム環３０の後端部は環状支持溝２１に回転可能に嵌合し、さらに、カム環３０の前端面が各ストッパ１５の後面に接触している。即ち、カム環３０は内筒１３に対して光軸Ｏ回りに回転可能であり、光軸Ｏ方向には相対移動不能である。カム環３０の上面には連結部材３１が固着されており、この連結部材３１の上端部は貫通孔２０を貫通してズーム操作環１８に固着されている。従って、撮影者が手でズーム操作環１８を回転させると、カム環３０が光軸Ｏ回りに時計方向または反時計方向に回転する。さらに、カム環３０には共に周方向に１２０°間隔で並べて形成された３本のカム溝３３と３本のカム溝３４が、互いの光軸方向位置をずらして貫通溝として設けられている。
【００１７】
１群支持枠４０は、共に固定環１１と同心をなす内筒４１と外筒４２を具備している。内筒４１は内筒１３の内周側に位置しており、外筒４２は内筒１３と外筒１４の間に位置している。内筒４１のレンズ支持孔４３には第１レンズ群Ｌ１が嵌合固定されている。外筒４２の内周面には周方向に１２０°間隔で並べて３本のカムピン４４が径方向内向きに突設されている。各カムピン４４は対応するカム溝３４及び対応する直進案内溝１６にそれぞれ係合しているので、カム環３０が回転すると１群支持枠４０（第１レンズ群Ｌ１）が直進案内溝１６に沿って光軸Ｏ方向に進退する。
【００１８】
１群支持枠４０の後方において同心的に位置する２群支持枠（移動レンズ群枠）４７のレンズ支持孔４８には第２レンズ群Ｌ２が嵌合固定されている。２群支持枠４７の外周面には、周方向に１２０°間隔で並べて３本のカムピン４９が径方向外向きに突設されており、各カムピン４９は対応する直進案内溝１６及び対応するカム溝３３にそれぞれ係合している。従って、カム環３０が回転すると２群支持枠４７（第２レンズ群Ｌ２）が直進案内溝１６に沿って光軸Ｏ方向に進退する。
【００１９】
次に、絞り機構５０と本発明の特徴部分である絞り開閉機構６０について説明する。
絞り機構５０は公知の構造である。即ち、２群支持枠４７の前端部には正面視環状の後側環状フランジ５１が径方向外向きに突設されており、後側環状フランジ５１の外周縁部全体からは正面視環状の環状連結部５２が前向きに突設されている。さらに環状連結部５２の前端部には正面視環状の前側環状フランジ５３が径方向内向きに突設されている。環状連結部５２の上端部を径方向に貫通する周方向孔５５には、後側環状フランジ５１と前側環状フランジ５３の間に位置する絞り開閉環５７の上端部に突設された開放位置規制突部５８が光軸Ｏ回りに相対回転可として嵌合している。絞り開閉環５７は図示を省略した回転付勢手段の回転付勢力によって常に正面視時計方向（図２から図４、及び図６から図８の下方向）に回転付勢されている。さらに図２から図４、及び図６から図８に仮想線で示すように、固定環１１には平面視において光軸Ｏに対して傾斜し、かつ開放位置規制突部５８が接離可能な規制面１１ａが形成されている。従って絞り開閉環５７は２群支持枠４７に対して、開放位置規制突部５８が周方向孔５５の周方向端面及び規制面１１ａに当接しない範囲内で光軸Ｏ回りに相対回転可能である。絞り開閉環５７と前側環状フランジ５３の間には複数の絞り羽根５９が配設されており、各絞り羽根５９は前側環状フランジ５３の後面と絞り開閉環５７の前面とに相対回転可能に支持されている。そして、絞り開閉環５７が前側環状フランジ５３に対して光軸Ｏ回りに相対回転することにより、各絞り羽根５９が開放絞り位置と設定絞り位置の間を回転し、絞り径が変化する。
【００２０】
絞り開閉機構６０は以下の構造となっている。
固定環１１の後端面とマウント環１２の間には環状部材である回転環６１が光軸Ｏ回りに相対回転可能に嵌合している。回転環６１の前面には光軸Ｏと平行な平板状の絞込レバー６２が前向きに突設されている。図２から図８に示すように、絞込レバー６２には光軸Ｏと平行な方向に対して９０°より小さい角度（本実施形態では約５°）で傾斜する直線状のカム溝６３が貫通溝として形成されている。さらに、回転環６１の後端面には後ろ向きのレリーズレバー６４が突設されている。このレリーズレバー６４はマウント環１２に形成された光軸Ｏを中心とする周方向を向く周方向孔６６を相対回転可能に貫通している。
図２から図４に示すように（図６から図８では図示略）、このレリーズレバー６４と固定環１１の間には引張ばねＳ１が張設されており、この引張ばねＳ１の引張力により回転環６１は常に正面視で時計方向に回転付勢されている。さらにレリーズレバー６４は、カメラボディ（図示略）のレリーズスイッチ（絞り調整手段。図示略）の押し込み動作に連動して図２の上下方向に進退するボディ側レリーズレバーＢＬと当接しており、このボディ側レリーズレバーＢＬによって正面視で時計方向の回転が規制されている。
２群支持枠４７の外周面の上部にはレンズ鏡筒１０の径方向（光軸Ｏに直交する方向）に延びる枢着軸（回転中心軸）６５が突設されており、この枢着軸６５に光軸Ｏと略平行な駆動レバー６７の中央部付近が回転可能に枢着されている。駆動レバー６７の枢着軸６５より後方の箇所には平面視略方形の連係孔６８が貫通孔として穿設されている。
【００２１】
駆動レバー６７の後端部には径方向外向き（枢着軸６５と平行）の枢着軸（回転中心軸）６９が突設されており、この枢着軸６９に駆動レバー６７の外周側に位置する空走レバー７１の略中央部が回転可能に枢着されている。空走レバー７１の外周面（上面）の後端部には径方向外向きの円柱形状のカムピン７２が突設されている。このカムピン７２の径はカム溝６３の幅と同一であり、カムピン７２は絞込レバー６２のカム溝６３に摺動可能に係合している。さらに、空走レバー７１の内周面（下面）の前端部には径方向内向きの連係ピン７３が突設されており、この連係ピン７３は駆動レバー６７の連係孔６８に隙間をもって遊嵌している。図２から図８に示すように、駆動レバー６７の一方の側面の後端部近傍には係止突片７５が突設されており、空走レバー７１の一方の側面の前端部には係止突片７６が突設されている。そして、係止突片７５の先端部と係止突片７６の間には引張ばね（付勢手段）Ｓ２の両端部が係止されている。
図１に示すように後側環状フランジ５１には光軸Ｏを中心とする周方向に延びる周方向案内孔７８が貫通孔として穿設されており、絞り開閉環５７の後面の上端部から後方に突出する絞り開閉レバー７９が周方向案内孔７８を相対回転可能に貫通している。そして、絞り開閉レバー７９の外周面（上面）の後端部に突設された径方向外向き（枢着軸６５と平行）の枢着軸８０に駆動レバー６７の前端部に形成したＵ字溝６７ａが回転可能に枢着されている。
上記構成要素のうち規制面１１ａ、開放位置規制突部５８、絞込レバー６２のカム溝６３、空走レバー７１のカムピン７２、及び引張ばねＳ２は開放Ｆ値保持手段の構成要素である。また、絞込レバー６２のカム溝６３と空走レバー７１のカムピン７２は角度保持手段の構成要素である。さらに、駆動レバー６７と空走レバー７１がシーソーレバーの構成要素であり、空走レバー７１（連係ピン７３）及び駆動レバー６７（連係孔６８）が時間差動力伝達機構の構成要素である。
【００２２】
次に以上の構成からなるレンズ鏡筒１０、絞り機構５０、及び絞り開閉機構６０の動作について説明する。
まずは、図１から図５を参照しながら、第１レンズ群Ｌ１及び第２レンズ群Ｌ２がワイド状態（ワイド端位置）にある場合について説明する。
図２は絞り羽根５９が開放絞り状態にあるときを示している。このとき上記回転付勢手段の付勢力によって開放位置規制突部５８が規制面１１ａに当接するので、絞り開閉環５７はこれ以上は正面視で時計方向には回転できず、絞り羽根５９は開放絞り状態に保持される。
レンズ鏡筒１０が接続されているカメラボディ（図示略）のレリーズスイッチ（絞り調整手段）を押し込む前においては、ボディ側レリーズレバーＢＬが図２の実線の位置に位置するので回転環６１は図２に示す位置に位置する。このとき引張ばねＳ２は係止突片７５と係止突片７６に引張方向の付勢力を与えている（空走レバー７１を図２から図４の時計方向に回転付勢している）。しかし、カム溝６３とカムピン７２によって空走レバー７１の図２から図４の反時計方向側への回転が規制されているので、結果的に連係ピン７３は連係孔６８の中央部（連係孔６８とは接触しない非接触位置）に位置する。この状態で上記レリーズスイッチを押し込むと、ボディ側レリーズレバーＢＬが図２の下側に移動するので（仮想線参照）レリーズレバー６４が引張ばねＳ１の付勢力により正面視で時計方向に回転し、回転環６１と絞込レバー６２も正面視で時計方向に回転する（図２から図４において下方に移動する。図３の実線参照）。するとこの動きがカムピン７２を介して空走レバー７１に伝わり、空走レバー７１が図２の時計方向に回転するので、図５の仮想線に示すように連係ピン７３が連係孔６８の壁面に当接する。このように所定の空走時間経過後に連係ピン７３が連係孔６８に当接すると空走レバー７１の回転力が駆動レバー６７に伝わるので、駆動レバー６７が図３の時計方向に回転する。すると、絞り開閉環５７が正面視で反時計方向（図３の上方）に回転し開放位置規制突部５８が規制面１１ａから離れるので、各絞り羽根５９が全開絞り径より小径の中間絞り状態となる（図示略）。そしてレリーズスイッチを完全に押し込むと、絞り開閉機構６０は図４の状態となり、各絞り羽根５９は設定絞り状態となる。
【００２３】
図４の状態においてレリーズスイッチから手を離すと、レリーズスイッチを付勢するばね手段（図示略）の付勢力によってレリーズスイッチは初期位置に復帰する。そして、このレリーズスイッチの初期位置への復帰動作に伴ってボディ側レリーズレバーＢＬが引張ばねＳ１の回転付勢力に抗して図４の上方に移動するので回転環６１が正面視で反時計方向（図２から図４の上向き）に回転し、連係ピン７３は引張ばねＳ２の付勢力によって連係孔６８との接触状態を保持し続け、さらに上記回転付勢手段の回転付勢力が絞り開閉環５７に及ぶので、絞り機構５０及び絞り開閉機構６０は図４の状態（設定絞り状態）から図３の状態に移行する。図３の状態に移行すると、開放位置規制突部５８が規制面１１ａに接触するので絞り開閉環５７はこれ以上回転できなくなるが、ボディ側レリーズレバーＢＬはレリーズスイッチを付勢する上記ばね手段の付勢力によって図３の上方への移動を続ける。従って、回転環６１は正面視で反時計方向の回転を続け、この回転環６１の回転運動に連動して空走レバー７１が図２から図４の反時計方向に回転するので、レリーズスイッチが初期位置に復帰したときに連係ピン７３が連係孔６８の中央部（非接触位置）に復帰する（図２参照）（図３から図２の状態へ空走レバー７１が回転するときに要する時間が空走時間）。
【００２４】
次に、ズーム操作環１８（グリップ環１９）を回転操作して第１レンズ群Ｌ１（１群支持枠４０）と第２レンズ群Ｌ２（２群支持枠４７）をテレ状態（テレ端位置）に移動させた場合の動作について、図６から図８を参照しながら説明する。
この場合は２群支持枠４７（及び１群支持枠４０）がワイド状態のときより前方に移動するので、上記回転付勢手段によって回転付勢されている絞り開閉環５７の開放位置規制突部５８が規制面１１ａに沿って前方に摺動する。従って、絞り開閉環５７はワイド状態のときに比べて正面視で時計方向に回転するとともに前方に移動した図６の状態となる。さらに、空走レバー７１のカムピン７２がカム溝６３内を前方に摺動し、カムピン７２はカム溝６３の前端近傍に移動する。カム溝６３は光軸Ｏと平行な方向に対して傾斜しているので、このようにカムピン７２が前方に移動すると、開放絞り状態（図６の状態）において空走レバー７１は図２のとき（ワイド状態）に比べて図６の反時計方向に僅かに回転する。このとき引張ばねＳ２が係止突片７５と係止突片７６を互いに接近させる方向に回転付勢するが（空走レバー７１を図６の時計方向に回転付勢するが）、空走レバー７１の図６の時計方向への回転はカム溝６３とカムピン７２によって規制されているので、空走レバー７１の連係ピン７３は駆動レバー６７の連係孔６８の中央部（非接触位置）に位置し続ける。従って、空走レバー７１の回転力が引張ばねＳ２を介して駆動レバー６７に伝わり、（開放位置規制突部５８の規制面１１ａに対する接触位置が図２のときより前方なので）駆動レバー６７が図２のときより反時計方向に僅かに回転する。このときの空走レバー７１と駆動レバー６７の相対回転角度は図２の状態と同じになる。
このように絞り開閉環５７が図２のときより正面視で時計方向に僅かに回転する結果、各絞り羽根５９が図２のときより僅かに大きく開く。即ち、テレ状態のときはワイド状態のときに比べて開放絞り径が僅かに大きくなり、その結果、ワイド状態とテレ状態のときの全レンズ群（第１レンズ群Ｌ１及び第２レンズ群Ｌ２）の開放Ｆ値が同じ値になる。なお、図示は省略してあるが、第１レンズ群Ｌ１及び第２レンズ群Ｌ２がテレ端とワイド端の間のいずれの位置にある場合も同じメカニズムによって開放Ｆ値はワイド状態及びテレ状態のときと同じ値となる。
【００２５】
テレ状態の場合も絞り開閉機構６０の動作はワイド状態のときと同じであり、レリーズスイッチを押し込むと所定の空走時間を経てから絞り開閉機構６０及び絞り機構５０は図６の状態（開放絞り状態）から図７の状態さらに図示を省略した中間絞り状態を経て図８の状態（設定絞り状態）に移行する。同様にレリーズスイッチから手を離した場合は、レリーズスイッチの初期位置への復帰動作に伴って回転環６１が正面視で反時計方向（図６から図８の上向き）に回転し、連係ピン７３は連係孔６８との接触状態を保持し続け、さらに上記回転付勢手段の回転付勢力により絞り開閉環５７はその開放位置規制突部５８が規制面１１ａに当接する位置まで回転復帰するので、絞り機構５０及び絞り開閉機構６０は図８の状態から図７の状態に移行する。そして、図７の状態からボディ側レリーズレバーＢＬがレリーズスイッチを付勢する上記ばね手段の付勢力によって初期位置側への復帰を続けると、回転環６１の正面視反時計方向の回転運動に連動して空走レバー７１が図６から図８の反時計方向に回転するので、レリーズスイッチが初期位置に復帰したときに連係ピン７３が連係孔６８の中央部（非接触位置）に復帰する（図６参照）（図８から図６の状態へ空走レバー７１が回転するときに要する時間が空走時間）。
【００２６】
以上説明した本実施形態によれば、開放Ｆ値保持手段の構成要素であるカム溝６３には時間差動力伝達機構としての機能を持たせず、カム溝６３とは別個の空走レバー７１（連係ピン７３）及び駆動レバー６７（連係孔６８）に時間差動力伝達機構としての機能を持たせている。そのため、カム溝６３の幅寸法を小さくすることが可能であり、カム溝６３を形成した絞込レバー６２を幅方向にコンパクトにすることが可能である。従って、仮にズームレンズ鏡筒内に余計な空間が殆ど存在しない場合であっても、絞込レバー６２を周囲の部材と接触することなく円滑に動作させることが可能である。
しかも、空走レバー７１に形成したカムピン７２が絞込レバー６２に形成したカム溝６３に幅方向には隙間無く嵌合することにより、このカムピン７２とカム溝６３が空走レバー７１と駆動レバー６７の相対角度を制御している。従って、従来のようにバネの付勢力を利用して時間差動力伝達機構を任意の状態（連係ピン７３と連係孔６８が非接触の状態）に保持する構造に比べて、より確実かつ長期間に渡って連係ピン７３と連係孔６８を非接触状態に保持することが可能である。
【００２７】
以上、本発明を上記実施形態について説明したが、本発明は上記実施形態に限定されるものではなく、様々な変更を施して実施可能である。
例えば、連係ピン７３を駆動レバー６７に突設し連係孔６８を空走レバー７１に穿設してもよい。
また、絞り機構５０及び絞り開閉機構６０を２群支持枠４７ではなく１群支持枠４０や、その他の移動レンズ群枠に設けても良い。
さらに、空走レバー７１側にカム溝６３を形成し絞込レバー６２側にカムピン７２を突設してもよい。この場合、カム溝６３は、連係ピン７３及び連係孔６８とは別個の構成要素として構成する。
また、カム溝６３は直線形状でなくてもよく曲線形状であってもよい。
【図面の簡単な説明】
【００２８】
【図１】本発明の一実施形態のレンズ鏡筒の上半部のワイド状態における縦断側面図である。
【図２】ワイド状態において絞り羽根が開放絞り状態にあるときの絞り駆動機構とその周辺部材の拡大平面図である。
【図３】同じくワイド状態において絞り羽根が所定の中間絞り状態まで閉じたときの絞り駆動機構とその周辺部材の拡大平面図である。
【図４】同じくワイド状態において絞り羽根が設定絞り状態まで閉じたときの絞り駆動機構とその周辺部材の拡大平面図である。
【図５】空走レバーと駆動レバーの拡大平面図である。
【図６】テレ状態において絞り羽根が開放絞り状態にあるときの絞り駆動機構とその周辺部材の拡大平面図である。
【図７】同じくテレ状態において連係ピンが連係孔に接触したときの絞り駆動機構とその周辺部材の拡大平面図である。
【図８】同じくテレ状態において絞り羽根が設定絞り状態まで閉じたときの絞り駆動機構とその周辺部材の拡大平面図である。
【符号の説明】
【００２９】
１０    レンズ鏡筒
１１    固定環
１１ａ  規制面
１２    マウント環
１３    内筒
１４    外筒
１５    ストッパ
１６    直進案内溝
１７    環状凹部
１８    ズーム操作環
１９    グリップ環
２０    貫通孔
２１    環状支持溝
３０    カム環
３１    連結部材
３３  ３４    カム溝
４０    １群支持枠
４１    内筒
４２    外筒
４３    レンズ支持孔
４４    カムピン
４７    ２群支持枠（移動レンズ群枠）
４８    レンズ支持孔
４９    カムピン
５０    絞り機構
５１    後側環状フランジ
５２    環状連結部
５３    前側環状フランジ
５５    周方向孔
５７    絞り開閉環
５８    開放位置規制突部
５９    絞り羽根
６０    絞り開閉機構
６１    回転環
６２    絞込レバー
６３    カム溝（角度保持手段）
６４    レリーズレバー
６５    枢着軸（回転中心軸）
６６    周方向孔
６７    駆動レバー（時間差動力伝達機構）（シーソーレバー）
６８    連係孔（第１時間差動力伝達部）（第２時間差動力伝達部）
６９    枢着軸（回転中心軸）
７１    空走レバー（時間差動力伝達機構）（シーソーレバー）
７２    カムピン（角度保持手段）
７３    連係ピン（第１時間差動力伝達部）（第２時間差動力伝達部）
７５    係止突片
７６    係止突片
７８    周方向案内孔
７９    絞り開閉レバー
８０    枢着軸
ＢＬ    ボディ側レリーズレバー
Ｌ１    第１レンズ群
Ｌ２    第２レンズ群
Ｏ      光軸
Ｓ１  Ｓ２    引張ばね（付勢手段）
【図１】
0005197059.tif 000002
【図２】
0005197059.tif 000003
【図３】
0005197059.tif 000004
【図４】
0005197059.tif 000005
【図５】
0005197059.tif 000006
【図６】
0005197059.tif 000007
【図７】
0005197059.tif 000008
【図８】
0005197059.tif 000009